(57)【特許請求の範囲】
【請求項１】
利用者の頭部に装着されて、利用者の両眼に映像を拡大投影するための画面を有する表示ユニットを備え、インタラクティブなユーザインターフェースを有する少なくとも１台の電子機器に接続されて使用される、ヘッドマウントディスプレイ装置であって、
接続可能な前記電子機器毎に、前記各電子機器を制御するための複数の制御項目と、該複数の制御項目のそれぞれの内容を表す文字列またはアイコンと、該複数の制御項目のそれぞれの表示位置とを相互に関連付けて記憶された操作メニューテンプレートと、
実際に接続された電子機器である接続機器の種類および該接続機器においてサポートされる制御項目が確認されると、該接続機器に対応する前記操作メニューテンプレートに記憶されている前記確認された制御項目の前記文字列またはアイコンと前記表示位置とに基づいて、前記取得された制御項目を前記表示ユニットの前記画面に表示する表示制御手段と、
該表示制御手段にて前記画面に表示された前記制御項目のいずれかを前記利用者が選択するための選択手段と、
該選択手段によって選択された前記制御項目に応じて、前記接続機器を制御する制御手段とを具備し、
前記操作メニューテンプレートは、複数の制御項目を同じ表示位置として記憶している、ヘッドマウントディスプレイ装置。
【請求項２】
前記操作メニューテンプレートにおける同じ表示位置になった前記複数の制御項目には優先順位が予め設定されており、
前記表示手段は、前記複数の制御項目に対応する前記表示位置に、前記優先順位に従って前記複数の制御項目を順番に表示する請求項１に記載のヘッドマウントディスプレイ装置。
【請求項３】
前記表示位置における前記複数の制御項目の表示は、前記選択手段によって順次変更される請求項２に記載のヘッドマウントディスプレイ装置。
【請求項４】
前記選択手段は、利用者の注視点を検出する視線検出手段を備え、該視線検出手段によって検出される注視点に表示されている前記制御項目が選択される請求項１に記載のヘッドマウントディスプレイ装置。
【発明の詳細な説明】
【０００１】
【発明の属する技術分野】
本発明は、ビデオデッキ、ＤＶＤ（Ｄｉｇｉｔａｌ Ｖｅｒｓａｔｉｌｅ Ｄｉｓｃ）プレイヤー等、インタラクティブなユーザーインターフェイスを備えている電子機器に接続することができる、ヘッドマウントディスプレイ装置に関する。
【０００２】
【従来の技術】
従来から、ゴーグルのような形状を有する表示ユニットが利用者の頭部に装着されて、利用者の両眼に映像が拡大投影される、ヘッドマウンドディスプレイ装置が実現されている。利用者は、このヘッドマウントディスプレイ装置を用いて映像を鑑賞している間は、その視界がほとんど遮られてしまう。このため、特開２０００−２３５４４５号公報には、表示ユニットを装着したままで、音量、画質等の設定を容易に行うことができるようにする技術が開示されている。
【０００３】
図９は、上記公報の技術を用いたヘッドマウントディスプレイ装置の構成を示すブロック図である。このヘッドマウントディスプレイ装置は、ビデオを再生するためのビデオデッキ２０１に接続されており、映像信号および音声信号がＡＶ（Ａｕｄｉｏ Ｖｉｓｕａｌ）ケーブル等の信号線を介してヘッドマウントディスプレイ装置に出力される。
【０００４】
ビデオデッキ２０１の動作は、リモートコントローラ（以下、リモコンと称する）２０４によって制御される。リモコン２０４は、リモコン信号送出部２０３と、再生、早送り、巻き戻し、チャンネル切り替えボタン等のユーザーインターフェイス（図示せず）を備えており、これらのボタンが押されると、リモコン２０４内部の処理装置（図示せず）によって、押されたボタンに対応する信号フォーマットが生成されて、リモコン信号送出部２０３に供給される。リモコン信号送出部２０３では、ボタンが押されることによって供給された信号フォーマットをリモコン信号に変換して、ビデオデッキ２０１のリモコン信号受信部２０２に送出する。
【０００５】
リモコン信号受信部２０２では、リモコン信号送出部２０３から送られてきたリモコン信号をフォトダイオード等により検出して信号フォーマットを復元する。復元された信号フォーマットは、ビデオデッキ２０１に組み込まれた処理装置（図示せず）に送出され、この信号フォーマットに基づいて、上記処理装置によってビデオデッキのビデオテープ再生、停止等の動作が制御される。
【０００６】
ビデオデッキ２０１からの映像信号（ビデオ信号）は、ヘッドマウントディスプレイ装置のコントロールボックス２１９のデコーダ２０９に入力され、ステレオ音声信号はコントロールボックス２１９の音量調整スイッチ（以下、音量調整ＳＷと称する）２１０に入力される。
【０００７】
ビデオデッキ２０１からコントロールボックス２１９に入力されるビデオ信号は、デコーダ２０９によってＲＧＢの各信号に分離されて、表示ユニットのＬＣＤ駆動手段２１４に出力される。デコーダ２０９は、輝度信号処理回路、色信号処理回路、画質調整回路、同期回路等を備えており、マイコン２０７からの制御信号によって画質調整が行われる。
【０００８】
また、デコーダ２０９には、ＯＳＤ（オンスクリーンディスプレイ）を生成する機能を有するカスタムチップである、ＯＳＤ生成手段２０５から、画面上に表示される画質、音質等の設定メニュー、メッセージ等が映像信号として供給され、この映像信号は上記ＲＧＢ信号と合成されてＬＣＤ駆動手段２１４に供給される。
【０００９】
上記設定メニューの画質、音質等は、マルチスイッチ（以下、マルチＳＷと称する）２０６によって設定される。マルチＳＷ２０６は、複数の操作位置に相当する多接点を有しており、利用者によるＳＷ押し下げ動作が電気信号に変換される。
【００１０】
マルチＳＷ２０６において生成された電気信号は、制御手段であるマイクロコンピュータ（以下、マイコンと称する）２０７によって検出される。この検出結果によって、マイコン２０７からは、画質、音量等のヘッドマウントディスプレイ装置に関係する設定メニュー、メッセージ等を表示するためのデータ信号、制御信号がＯＳＤ生成手段２０５に対して送信され、画質設定を変更する信号がデコーダ２０９に対して送信され、音質設定を変更する信号がサウンドコントローラ２１１に対して送信される。
【００１１】
マイコン２０７は、記憶手段２０８に接続されており、利用者によって設定された画質、音量等の設定状態は、記憶手段２０８に記憶される。また、記憶手段２０８には、各設定値の基準値も記憶されている。
【００１２】
表示ユニットでは、ＬＣＤ駆動手段２１４によって、デコーダ２０９からＬＣＤ駆動手段２１４に入力されたＲＧＢ信号、同期信号に基づいて、液晶画面２１５および２１６が同時に駆動される。液晶画面２１５および２１６は高精細な小型液晶ディスプレイであって、ＬＣＤ駆動手段２１４によって駆動され、ＲＧＢ信号が画面上に映し出される。この液晶画面２１５および２１６から出力される像は、光学系２１７および２１８によって拡大されて、それぞれ利用者の左目および右目に導かれる。
【００１３】
一方、ビデオデッキ２０１からコントロールボックス２１９に入力されるステレオ音声信号は、音量調整ＳＷ２１０によって、調整ＳＷの位置に応じてゲインが調整されて、サウンドコントローラ２１１に出力される。
【００１４】
音量調整ＳＷ２１０から入力された音声信号は、サウンドコントローラ２１１によって音声処理されてイヤホン２１２および２１３にそれぞれ出力される。サウンドコントローラ２１１では、マイコン２０７の制御信号を受けて、低音、高音の強調等が行われて音質が変えられる。
【００１５】
イヤホン２１２は利用者の左耳に装着されるイヤホンであり、イヤホン２１３は利用者の右耳に装着されるイヤホンであり、サウンドコントローラ２１１から入力された音声信号が音声に変換されて、それぞれから出力される。
【００１６】
【発明が解決しようとする課題】
上述したヘッドマウントディスプレイ装置において、そのヘッドマウントディスプレイ装置自身の設定は、利用者が画面を見ながら行うことができる。しかし、ビデオデッキ、ＤＶＤプレイヤー、テレビチューナー等、ヘッドマウントディスプレイ装置に接続された電子機器の操作は、別にその電子機器に設けられたユーザーインターフェイスの操作などによって行う必要がある。例えば、電子機器に設けられたボタンを直接操作したり、電子機器に対応したリモコンを操作しなければならず、その作業が繁雑であり、利用者が画面を見ながら操作を行うことが困難である。
【００１７】
本発明は、このような従来技術の課題を解決するためになされたものであり、利用者がヘッドマウントディスプレイ装置に表示された映像を見ながら、そのヘッドマウントディスプレイ装置に接続された電子機器を容易に制御することができる、ヘッドマウントディスプレイ装置を提供することを目的とする。
【００１８】
【課題を解決するための手段】
本発明のヘッドマウントディスプレイ装置は、利用者の頭部に装着されて、利用者の両眼に映像を拡大投影するための画面を有する表示ユニットを備え、インタラクティブなユーザインターフェースを有する少なくとも１台の電子機器に接続されて使用される、ヘッドマウントディスプレイ装置であって、接続可能な前記電子機器毎に、前記各電子機器を制御するため複数の制御項目と、該複数の制御項目のそれぞれの内容を表す文字列またはアイコンと、該複数の制御項目のそれぞれの表示位置とを相互に関連付けて記憶された操作メニューテンプレートと、実際に接続された電子機器である接続機器の種類および該接続機器においてサポートされる制御項目が確認されると、該接続機器に対応する前記操作メニューテンプレートに記憶されている前記確認された制御項目の前記文字列またはアイコンと前記表示位置とに基づいて、前記取得された制御項目を前記表示ユニットの前記画面に表示する表示制御手段と、該表示制御手段にて前記画面に表示された前記制御項目のいずれかを前記利用者が選択するための選択手段と、該選択手段によって選択された前記制御項目に応じて、前記接続機器を制御する制御手段と、を具備することを特徴とする。
【００１９】
上記構成によれば、利用者は、ヘッドマウントディスプレイ装置に接続された電子機器を操作する際に、電子機器に設けられたボタンを直接操作したり、電子機器に対応したリモコンを操作することなく、画面上に表示された操作メニューを見ながら所望の操作項目を選択して、操作することができる。
【００２０】
前記操作メニューテンプレートは、複数の制御項目を同じ表示位置として記憶していてもよい。
【００２１】
前記操作メニューテンプレートにおける同じ表示位置になった前記複数の制御項目には優先順位が予め設定されており、前記表示手段は、前記複数の制御項目に対応する前記表示位置に、前記優先順位に従って前記複数の制御項目を順番に表示するこうせいであってもよい。
【００２２】
前記表示位置における前記複数の制御項目の表示は、前記選択手段によって順次変更されてもよい。
【００２３】
前記選択手段は、利用者の注視点を検出する視線検出手段を備え、該視線検出手段によって検出される注視点に表示されている前記制御項目が選択されてもよい。
【００２４】
【発明の実施の形態】
以下に、本発明の実施の形態について、図面に基づいて説明する。
【００２５】
図１は、本発明の一実施形態であるヘッドマウントディスプレイ装置の構成を説明するためのブロック図である。このヘッドマウントディスプレイ装置は、コントロールボックス１０３を有しており、そのコントロールボックス１０３に通信部１０４が設けられている。コントロールボックス１０３の通信部１０４は、バスライン（ＩＥＥＥ１３９４バス）を介してデジタルビデオデッキ１０１に設けられた通信部１０２と接続されているインターフェイスであり、通信部１０２および１０４間では、ＩＥＥＥ１３９４で規定されたプロトコル（通信規約）に従ってデータ通信が行われる。通信部１０２および１０４では、ＩＥＥＥ１３９４バスから入力されたパケットが復調されてデータに変換されると共に、ビデオデッキ１０１およびヘッドマウントディスプレイ装置のそれぞれの内部で発生されたデータがパケット化されてＩＥＥＥ１３９４バスに入力される。
【００２６】
ビデオデッキ１０１の通信部１０２からコントロールボックス１０３の通信部１０４に入力されたビデオ信号およびステレオ音声信号はデコーダ１０９に入力される。
【００２７】
ビデオ信号は、デコーダ１０９によってＲＧＢの各信号に分離されて、表示ユニットのＬＣＤ駆動手段１１４に出力される。また、ステレオ音声信号は、サウンドコントローラ１１１に出力される。デコーダ１０９では、マイコン１０７からの制御信号によって画質調整および音質調整が行われる。
【００２８】
また、ビデオデッキ１０１の通信部１０２からは、ヘッドマウントディスプレイ装置によってビデオデッキ１０１を制御することが可能な項目に関する情報がコントロールボックス１０３の通信部１０４に入力され、マイコン１０７を介してＯＳＤ生成手段１０５に入力される。
【００２９】
ＯＳＤ生成手段１０５からは、デコーダ１０９に対して、画面上に表示される画質、音質等の設定メニュー、メッセージ等、ヘッドマウントディスプレイ装置に関係する設定が映像信号として供給される。さらに、ＯＳＤ生成手段１０５からは、上記マイコン１０７を介して供給される、ビデオデッキ１０１の制御項目に関する情報から、ビデオデッキ１０１の操作メニューが生成されて、映像信号として供給される。これらの映像信号は、デコーダ１０９によって上記ＲＧＢ信号と合成されて、ＬＣＤ駆動手段１１４に供給される。
【００３０】
上記画質、音質等の設定メニュー、ビデオデッキの操作メニューは、マルチＳＷ１０６によって設定される。マルチＳＷ１０６は、１つの選択ボタンと、２つのカーソルボタン（ＯＳＤ上のメニューによって選択される項目を指示するマークを移動させるために用いられる）と、操作メニュー表示切替ボタンとを含むスイッチである。
【００３１】
マルチＳＷ１０６のボタン操作によって生成される信号は、制御手段であるマイコン１０７に入力される。マイコン１０７からは、画質、音量等のヘッドマウントディスプレイ装置に関係する設定メニュー、メッセージ等、およびビデオデッキ１０１の操作メニューを表示するためのデータ信号、制御信号がＯＳＤ生成手段１０５に対して送信され、画質設定および音質設定を変更する信号がデコーダ１０９に対して送信される。
【００３２】
マイコン１０７は、記憶手段１０８に接続されている。記憶手段１０８は、マイコン１０７によって実行されるプログラムが記憶されるＲＯＭと、各種データが記憶されるＲＡＭとによって構成されている。
【００３３】
表示ユニットでは、ＬＣＤ駆動手段１１４によって、デコーダ１０９からＬＣＤ駆動手段１１４に入力されたＲＧＢ信号、同期信号に基づいて、液晶画面１１５および１１６が同時に駆動される。液晶画面１１５および１１６は高精細な小型液晶ディスプレイであって、ＬＣＤ駆動手段１１４によって駆動され、ＲＧＢ信号（ＯＳＤを含む）が画面上に映し出される。この液晶画面１１５および１１６から出力される像は、光学系１１７および１１８によって拡大されて、それぞれ利用者の左目および右目に導かれる。
【００３４】
サウンドコントローラ２１１では、デコーダ１０９から入力されたステレオ音声信号が音声処理されると共に、音量調整ＳＷ１１０のスイッチ位置に応じてゲインが調整されて、イヤホン１１２および１１３にそれぞれ出力される。イヤホン１１２は利用者の左耳に装着されるイヤホンであり、イヤホン１１３は利用者の右耳に装着されるイヤホンであり、サウンドコントローラ１１１から入力された音声信号が音声に変換されて、それぞれから出力される。
【００３５】
図２は、上記コントロールボックス１０３の外観を示す図である。このコントロールボックス１０３は、前面の上部に、電子機器の操作メニューの表示、非表示を切り替える操作メニューボタン３０１が設けられている。前面の中央部には、メニューに表示された項目を指示するカーソルをそれぞれ左および右に１項目分だけ移動させるカーソルボタン３０２および３０４が設けられている。２つのカーソルボタン３０２および３０４の間には、カーソルによって指示された項目を選択して、実行させるための選択ボタン３０３が設けられている。前面の下部には、電源のＯＮ、ＯＦＦを切り替える電源ボタン３０５が設けられている。コントロールボックス１０３の側面上部には、デコーダ１０９によって生成された映像（ＲＧＢ信号、同期信号）をＬＣＤ駆動手段１１４に出力するためのＲＧＢ信号出力端子３０６が設けられており、下部にはサウンドコントローラ１１１によって生成された音声信号を出力するための音声信号出力端子３０７が設けられている。音声信号出力端子３０７の上には、音声調整ＳＷ１１０が設けられており、コントロールボックス１０３の上面端部には、通信部１０４が設けられている。
【００３６】
次に、このように構成された本実施形態のヘッドマウントディスプレイ装置において、ヘッドマウントディスプレイ装置に接続された電子機器（接続機器）を操作する動作について、図３のフローチャートに沿って説明する。
【００３７】
まず、ステップ６０１では、デジタルビデオデッキ１０１がＩＥＥＥ１３９４バスを介してコントロールボックス１０３に接続されるか、または電源が入力されると、バスがリセットされ、このバスに規定されたデジタルインターフェイスの仕様に従って初期設定が行われる。その結果、各接続機器のノードにＩＤが設定され、各ノードにノードＩＤが通知される。本実施形態では、コントロールボックス１０３にビデオデッキ１０１のノードＩＤが通知される。
【００３８】
次に、ステップ６０１においてノードＩＤが通知された全ての接続機器に対して、実行可能なＡＶ／Ｃコマンドが、以下の手順に従って取得される。まず、ステップ６０２では、対象とする接続機器に対してＤＥＶＩＣＥ ＩＮＦＯＲＭＡＴＩＯＮ ＩＮＱＵＩＲＹ ＣＯＭＭＡＮＤが発行され、ＡＶ／Ｃコマンドセット規格に準拠しているか否かがレスポンスパケットによって確認される。
【００３９】
接続機器がＡＶ／Ｃコマンドセット規格に準拠している場合（ステップ６０２がＹｅｓ）には、ステップ６０３において、レスポンスパケットからデバイスタイプ（接続機器の種類）が取得される。その後、ステップ６０４において、記憶手段１０８に保持されている対応コマンドリスト中の全制御コマンドについて、各ノードに対してＳＵＰＰＯＲＴ ＩＮＱＵＩＲＹ ＣＯＭＭＡＮＤが発行されて、各コマンドがサポートされているか否かが確認され、その確認結果が記憶手段１０８に記憶される。一方、接続機器がＡＶ／Ｃコマンドセット規格に準拠していない場合（ステップ６０２がＮｏ）には、ステップ６０５に進む。
【００４０】
ここで、対応コマンドリストとは、本実施形態のヘッドマウントディスプレイ装置において表示される、接続機器の操作メニューにサポートされているＡＶ／Ｃコマンドを記憶したテーブルであり、図４に示すように、サブユニットタイプ、ＯＰＣ（制御コード）、ＯＰＲｓ（パラメータ）が１組のＡＶ／Ｃコマンドとして定義されてコマンドＩＤに対応付けられている。この図４の例では、コマンドＩＤ１〜８では、ＶＣＲ（ビデオカセットレコーダー）をＰｌａｙ（再生）操作する場合の制御項目（次フレーム〜再生一時停止等）が定義されており、コマンドＩＤ９および１０では、ＶＣＲをＲｅｃｏｒｄ（録画）操作する場合の制御項目（録画および録画一時停止）が定義されており、コマンドＩＤ１１〜１４では、ＶＣＲをＷｉｎｄ（巻き戻し、早送り）操作する場合の制御項目（高速巻き戻し〜早送り）が定義されている。なお、この図４および以下の図５において、（）内の数字は、実際に記憶手段１０８に記憶される数値の例を１６進数で表している。
【００４１】
各ノードにおいて、これらのコマンドがサポートされているか否かを確認した結果は、図５に示すようなテーブルとして記憶手段１０８に記憶される。図５は、本実施形態において、ビデオデッキ１０１に、図４に示す各ＡＶ／Ｃコマンドがサポートされているか否かを確認した結果を示す図である。この図５の例では、コマンドＩＤ２、３、５〜１０、１２〜１４のコマンドがサポートされており、１、４、１１のコマンドがサポートされていない。この図５において、サブユニットＩＤとは、同じ種類のサブユニット（１つのノードＩＤに対応する接続機器が保持しているデバイス）を、１つの接続機器が複数保持している場合に、それらのサブユニットを区別するためのものである。
【００４２】
ステップ６０５では、以上のようにして全てのノードがチェックされて接続機器の制御情報が取得され、これらの接続機器に対応した操作メニューを表示するために必要な情報が揃ったか否かが確認される。
【００４３】
全てのノードがチェックされている場合（ステップ６０５がＹｅｓ）には、ステップ６０６において、操作メニューボタン３０１が押し下げられたことが通知されるまで、待機する。チェックされていないノードがある場合（ステップ６０５がＮｏ）の場合には、ステップ６０２に戻る。
【００４４】
ステップ６０７において、操作メニューボタン３０１が押されると、接続機器を操作するための操作モードに移行して、操作メニューが表示される。また、再度操作メニューボタン３０１が押されると、操作モードが終了して操作メニューが消去され、再び待機状態になる。
【００４５】
以下に、本実施形態のヘッドマウントディスプレイ装置における、操作モード時の動作について説明する。操作メニューボタン３０１が押されて操作モードに移行すると、制御対象となる接続機器（ノードＩＤ）を選択するための機器選択画面が表示される。このとき、映像の鑑賞が妨げられないように、ＯＳＤによる画面は、液晶画面の上部に表示される。このことは、機器選択画面以外の操作画面についても同様である。
【００４６】
図６は、機器選択画面の例を示す図である。この機器選択画面では、矩形領域４０１内に、現在、操作対象の候補となっている機器（ノードＩＤ）が表示され、カーソルボタン３０２および３０４を押すことによって、各々前の候補および次の候補に表示が切り替えられる。このとき、操作対象の機器タイプを明示するために、ノードＩＤの横には、ステップ６０３において取得されたデバイスタイプを表す文字列が（）内に表示される。本実施形態では、デジタルビデオデッキ１０１のみが接続されているため、ノードＩＤとして１、デバイスタイプとしてビデオが表示され、カーソルボタン３０２および３０４が押されても表示が切り替えられず、この状態で固定される。選択ボタン３０３が押されると、矩形領域４０１内に表示されている機器が操作対象として決定される。
【００４７】
操作対象となる機器が決定されると、操作メニュー画面が表示される。操作メニューは、ステップ６０４において取得されたＡＶ／Ｃコマンドのサポート状況と、操作メニューテンプレートから作成される。操作メニューテンプレートとは、上述した対応コマンドリスト中のコマンドと、操作メニュー画面中に表示されるアイコンもしくはコマンドの内容を表す文字列、およびその表示位置とを関連付けるためのものであり、記憶手段１０８に記憶されている。
【００４８】
図７に、本実施形態で用いられる操作メニューテンプレートの例を示す。この図７において、コマンドＩＤは、図４に示す対応コマンドリスト中の各コマンドＩＤを表し、ポジションはコマンドの内容を示すメッセージを表示する表示位置を表し、表示内容は表示されるメッセージを示す。表示内容は、アイコンのように、表示内容の意味を表す絵のようなものであってもよい。
【００４９】
以下に、本実施形態のヘッドマウントディスプレイ装置における、操作メニュー画面の選択動作について説明する。操作対象機器が決定されると、図４に示す対応コマンドリスト中のＡＶ／Ｃコマンドのうち、図５に示すテーブルにおいてサポート有りと記録されているコマンド（操作対象機器によってサポートされているコマンド）が操作メニューの項目として、図７に示す操作メニューテンプレートのポジションと表示内容とに従って、ＯＳＤの画面上に表示される。
【００５０】
例えば、コマンド１２は、図５においてサポートされているため、図７のテンプレートを参照してポジション２（左から２番目を指すものとする）の位置に「停止」として表示される。
【００５１】
なお、図７では、例えばコマンドＩＤ１〜８のように、同じポジションのコマンドが複数存在するが、これらのコマンドが同時に複数、操作対象機器にサポートされている場合には、例えば予め定められた優先順位に従って、サポートされているコマンドのうちで最も優先順位が高いものを表示して、１つのコマンドのみを表示するようにする。本実施形態では、コマンドＩＤ７およびコマンドＩＤ９の表示優先順位が最も高いものとする。また、このような同じポジションに複数のコマンドが対応しているメニュー項目については、太い線で囲む等、区別できるようにしておくのが好ましい。
【００５２】
さらに、このようなコマンドを表す項目以外に、操作される機器を変更するための項目、選択される項目を指示するためのカーソル、および現在の操作対象機器が操作メニュー上に表示される。
【００５３】
図８に、以上のような手順でＯＳＤ上に表示される操作メニュー画面の例を示す。ここでは、ポジション１に巻き戻し５０１が表示され、ポジション２に停止５０２が表示され、ポジション３に早送り５０３が表示され、ポジション４に再生５０４が表示され、ポジション５に録画５０５が表示されている。また、ポジション４およびポジション５は、同じポジションに複数のコマンドが対応しているため、太い線で囲まれている。また、操作される機器を変更するための機種変更５０６、選択される項目を指示するためのカーソル５０７、および現在の操作対象機器として機器１（ビデオ）５０８が操作メニュー上に表示されている。
【００５４】
利用者がカーソルキー３０２および３０４を押すことにより、カーソル５０７が左右に一項目分だけ移動する。但し、左端および右端の項目をカーソル５０７が指示している場合には、各々左および右へ移動することができない。選択ボタン３０３が押されて離されると、カーソル５０７が指示している項目が選択される。例えば、５０１〜５０３に示す項目が選択されると、それぞれテープの巻き戻し、停止、早送りに相当するコマンドが図４に示す対応コマンドリストから生成され、ビデオデッキ１０１に送信される。また、５０６に示す項目が選択されると、操作対象機器の変更が実行されて、図６に示す機器選択画面に戻る。
【００５５】
太い線で囲まれている項目５０４および５０５については、上述したように表示されているコマンド以外にも複数のコマンドが存在するが、項目の表示内容を変更したい場合には、その位置へカーソル５０７を移動して、選択ボタン３０３を押し続けたままカーソルキー３０２および３０４を押すことにより、表示内容を変更することができる。所望のコマンドが表示されたときに選択ボタン３０３を離すことにより、そのコマンドがビデオデッキ１０１に送信される。例えば、図８に示す状態から、スロー再生を実行したい場合には、５０４の位置にカーソル５０７を移動して、選択ボタン３０７を押したまま、５０４に示す「再生」が「スロー再生」に変わるまでカーソルキー３０４を押して、「スロー再生」に変わったときに選択ボタン３０３を離すことにより、「スロー再生」に対応したコマンドが対応コマンドリストから選択されて、通信部１０４からＩＥＥＥ１３９４バスを介してビデオデッキ１０１の通信部１０２に送信される。ビデオデッキ１０１では、受信したコマンドに基づいて、ビデオデッキ１０１に組み込まれた処理装置によって、「スロー再生」動作が制御される。
【００５６】
なお、本実施形態では、ビデオデッキ１０１は、サブユニットタイプがＶＣＲで表されるサブユニットを１つだけ保持しているが、ダブルデッキビデオ等のように、複数のサブユニットを保持している場合には、上記方法と同様にして、同一の項目位置で各サブユニットに対応したＡＶ／Ｃコマンドを選択できるようにすることにより、インターフェイスを変更せずに複数の同じ種類のサブユニットを容易に操作することができる。
【００５７】
なお、上記実施形態では、項目を選択するためにカーソルおよびカーソルキーを用いたが、利用者の視線を検出して、表示ユニットの液晶画面上で利用者が注視している点をカーソルの位置とすることにより、項目を選択することもできる。
【００５８】
【発明の効果】
以上詳述したように、本発明によれば、利用者がヘッドマウンドディスプレイ装置の表示ユニットを装着したまま、映像を鑑賞しながら、１つの操作手段（コントロールボックス）によって、ヘッドマウントディスプレイ装置に接続されたビデオデッキ、ＤＶＤプレイヤー等、ユーザによるインタラクティブな操作が可能な電子機器を、容易に操作することができる。
【図面の簡単な説明】
【図１】本発明の一実施形態であるヘッドマウントディスプレイ装置の構成を説明するためのブロック図である。
【図２】本発明の一実施形態における、コントロールボックスの外観図である。
【図３】本発明の一実施形態において、接続機器を制御する動作の流れを示すフローチャートである。
【図４】本発明の一実施形態における、対応コマンドリストの例を示す図である。
【図５】本発明の一実施形態における、デジタルビデオデッキのＡＶ／Ｃコマンドのサポート状況を取得した結果の例を示す図である。
【図６】本発明の一実施形態であるヘッドマウントディスプレイ装置における、操作機器選択画面の例を示す図である。
【図７】本発明の一実施形態であるヘッドマウントディスプレイ装置における、操作メニューテンプレートの例を示す図である。
【図８】本発明の一実施形態であるヘッドマウントディスプレイ装置における、操作メニュー画面の例を示す図である。
【図９】従来のヘッドマウントディスプレイ装置の構成を説明するためのブロック図である。
【符号の説明】
１０１、２０１  ビデオデッキ
１０２、１０４  通信部（ＩＥＥＥ１３９４インターフェイス）
１０３、２１９  コントロールボックス
１０５、２０５  ＯＳＤ生成手段
１０６、２０６  マルチスイッチ
１０７、２０７  マイコン（制御手段）
１０８、２０８  記憶手段
１０９、２０９  デコーダ
１１０、２１０  音量調整スイッチ
１１１、２１１  サウンドコントローラ
１１２、２１２  イヤホン（左）
１１３、２１３  イヤホン（右）
１１４、２１４  ＬＣＤ駆動手段
１１５、２１５  液晶画面（左）
１１６、２１６  液晶画面（右）
１１７、２１７  光学系（左）
１１８、２１８  光学系（右）
２０２  リモコン信号受光部
２０３  リモコン信号送出部
２０４  リモコン本体
３０１  操作メニューボタン
３０２  カーソルボタン（左）
３０３  選択ボタン
３０４  カーソルボタン（右）
３０５  電源ボタン
３０６  ＲＧＢ信号出力端子
３０７  音声信号出力端子
４０１  操作対象となる機器（ノードＩＤ）が表示される領域
５０１  ポジション１に表示されたコマンド内容
５０２  ポジション２に表示されたコマンド内容
５０３  ポジション３に表示されたコマンド内容
５０４  ポジション４に表示されたコマンド内容
５０５  ポジション５に表示されたコマンド内容
５０６  機種変更
５０７  カーソル
５０８  操作中の機種ＩＤとサブユニットのタイプ
【図１】
0003714606.tif 000002
【図２】
0003714606.tif 000003
【図３】
0003714606.tif 000004
【図４】
0003714606.tif 000005
【図５】
0003714606.tif 000006
【図６】
0003714606.tif 000007
【図７】
0003714606.tif 000008
【図８】
0003714606.tif 000009
【図９】
0003714606.tif 000010